(57)【要約】【課題】  本発明は、実際にデータ通信する場所における通信状態を通知することにより、伝送エラーによるデータ記録ミスの発生を抑制することが可能な受信装置、記録装置、予約方法、情報提供方法および記録方法を提供する。【解決手段】  録画予約したい番組の情報が入力されると、受信装置１と記録装置２との間の無線通信の状態を確認する（ＳＴ１２）。この確認した通信状態をユーザに対して通知する（ＳＴ１３）。この通知後に録画予約の登録が指示されると、予約情報を受信装置１および／または記録装置２にて格納し、待機状態となる(ＳＴ１６)。録画予約のキャンセルが指示されると、一連の録画予約処理を終了する。通信状態の再確認が指示されると、ＳＴ１２の処理へ進み、受信装置１と記録装置２との間の無線通信の状態を確認し、通知画面を表示する。【選択図】  図４
2005109563.tif 000002
【特許請求の範囲】
【請求項１】
無線で接続された記録装置に対して外部より受信した情報を提供する受信装置において、
上記記録装置における記録の予約に関する情報を受信すると、上記記録装置との無線による通信状態を観測する観測手段と、
この観測手段による上記記録装置との通信状態に関する情報を通知する通知手段と、
この通知手段による通知の後に予約の登録に関する指示信号を受信すると、上記予約に関する情報を登録する登録手段と、
を有することを特徴とする受信装置。
【請求項２】
上記通知手段は、予め設定された基準値と比較して上記観測手段による通信状態がよくないと判断されると、受信状態を改善するよう通知することを特徴とする請求項１記載の受信装置。
【請求項３】
上記通知手段による通知後で、上記登録手段による登録前に、上記記録装置との無線による通信状態の再観測に関する指示信号を受信すると、上記観測手段による上記記録装置との無線による通信状態を観測するよう制御する制御手段を有することを特徴とする請求項１または請求項２のいずれか記載の受信装置。
【請求項４】
無線で接続された記録装置に対して外部より受信した情報を提供する受信装置において、
上記記録装置における記録の予約に関する情報として開始時間と記録対象情報が登録された記憶手段と、
この記憶手段に登録された上記開始時間に基づいて、上記記憶手段に登録された記録対象情報を上記記録装置へ無線で送信する送信手段と、
この送信手段による上記記録対象情報の送信中における上記記録装置との無線による通信状態を観測する観測手段と、
この観測手段による上記記録装置との通信状態に関する情報を、上記記憶手段に記憶された予約に関する情報に対応させて上記記憶手段に記憶するよう制御する制御手段と、
を有することを特徴とする受信装置。
【請求項５】
予め設定された基準値と比較して上記観測手段による通信状態が良くないと判断されると、上記送信手段で送信している記録対象情報の転送量を少なくするよう変更する変更手段を有することを特徴とする請求項４記載の受信装置。
【請求項６】
上記記録対象情報の送信が終了すると、上記観測手段による通信状態に関する情報を上記記録装置に対して提供する提供手段を有することを特徴とする請求項４記載の受信装置。
【請求項７】
無線で接続された受信装置から提供される情報を記録する記録装置において、
記録の予約に関する情報を受信すると、上記受信装置との無線による通信状態を観測する観測手段と、
この観測手段による上記受信装置との通信状態に関する情報を通知する通知手段と、
この通知手段による通知の後に予約の登録に関する指示信号を外部より受信すると、上記予約に関する情報を登録する登録手段と、
を有することを特徴とする記録装置。
【請求項８】
上記通知手段は、予め設定された基準値と比較して上記観測手段による通信状態が良くないと判断されると、受信状態を改善するよう通知することを特徴とする請求項７記載の記録装置。
【請求項９】
上記通知手段による通知後で、上記登録手段による登録前に、上記受信装置との無線による通信状態の再観測に関する指示信号を受信すると、上記観測手段による上記受信装置との無線による通信状態を観測するよう制御する制御手段を有することを特徴とする請求項７または請求項８のいずれか記載の記録装置。
【請求項１０】
無線で接続された受信装置から提供される情報を記録する記録装置において、
記録の予約に関する情報として開始時間と記録対象情報が登録された記憶手段と、
この記憶手段に登録された上記開始時間に基づいて、上記受信装置から提供される記録対象情報を内蔵する記録媒体へ書き込む書込手段と、
この書込手段による上記記録対象情報の書込中における上記受信装置との無線による通信状態を観測する観測手段と、
この観測手段による上記受信装置との通信状態に関する情報を、上記記憶手段に記憶された予約に関する情報に対応させて上記記憶手段に記憶するよう制御する制御手段と、
を有することを特徴とする記録装置。
【請求項１１】
予め設定された基準値と比較して上記観測手段による通信状態が良くないと判断されると、上記受信装置に対して通信状態が良くない旨の情報を提供する提供手段を有することを特徴とする請求項１０記載の記録装置。
【請求項１２】
予め設定された基準値と比較して上記観測手段による通信状態が良くないと判断されると、上記書込手段における上記記録媒体への書込方式を変更する変更手段を有することを特徴とする請求項１０記載の記録装置。
【請求項１３】
上記記録対象情報の記録が終了すると、上記観測手段による通信状態に関する情報を上記記録装置に対して提供する提供手段を有することを特徴とする請求項１０記載の記録装置。
【請求項１４】
無線で接続された記録装置に対して外部より受信した情報を提供する受信装置における予約方法において、
上記記録装置における記録の予約に関する情報を受信すると、上記記録装置との無線による通信状態を観測するステップと、
この観測ステップによる上記記録装置との通信状態に関する情報を通知するステップと、
この通知後に予約の登録に関する指示信号を受信すると上記予約に関する情報を登録するステップと、
を有することを特徴とする予約方法。
【請求項１５】
無線で接続された受信装置から提供される情報を記録する記録装置における予約方法において、
記録の予約に関する情報を受信すると、上記受信装置との無線による通信状態を観測するステップと、
この観測ステップによる上記受信装置との通信状態に関する情報を通知するステップと、
この通知後に予約の登録に関する指示信号を受信すると上記予約に関する情報を登録するステップと、
を有することを特徴とする予約方法。
【請求項１６】
無線で接続された記録装置における記録の予約に関する情報として開始時間と記録対象情報が登録された記憶手段を有し、上記記録装置に対して外部より受信した情報を提供する受信装置における情報提供方法において、
上記記憶手段に登録された上記開始時間に基づいて、上記記憶手段に登録された記録対象情報を上記記録装置へ無線で送信するステップと、
この送信ステップによる上記記録対象情報の送信中における上記記録装置との無線による通信状態を観測するステップと、
この観測ステップによる上記記録装置との通信状態に関する情報を、上記記憶手段に記憶された予約に関する情報に対応させて上記記憶手段に記憶するステップと、
を有することを特徴とする情報提供方法。
【請求項１７】
記録の予約に関する情報として開始時間と記録対象情報が登録された記憶手段を有し、無線で接続された受信装置から提供される情報を記録する記録装置における記録方法において、
上記記憶手段に登録された上記開始時間に基づいて、上記受信装置から提供される記録対象情報を内蔵する記録媒体へ書き込むステップと、
この書込ステップによる上記記録対象情報の書込中における上記受信装置との無線による通信状態を観測するステップと、
この観測ステップによる上記受信装置との通信状態に関する情報を、上記記憶手段に記憶された予約に関する情報に対応させて上記記憶手段に記憶するステップと、
を有することを特徴とする記録方法。
【発明の詳細な説明】
【技術分野】
【０００１】
本発明は、無線通信を介してＴＶ番組等の映像や音声のデータの転送を行う受信装置および記録装置に関し、更にはこの受信装置あるいは記録装置を用いて無線通信で転送されるデータの記録の予約あるいはデータの記録を行う予約方法、情報提供方法および記録方法に関する。
【背景技術】
【０００２】
近年、受信装置で受信したＴＶ番組等の映像や音声のデータを無線通信を介して外部装置へ転送するシステムが各種方面で実用化されてきている。しかし、このようなシステムにおいては、無線通信の強度に関係なく、即ち電波強度が弱い場合であっても、データ転送を実行してしまうことが問題となっている。このような問題を解決する装置として、例えば、高速通信モードと低速通信モードとを切り替えて無線通信を行い、これらの通信回数から通信状態を計算し、この通信状態を示すメッセージを所定時間毎に表示する装置が開発されている（例えば特許文献１参照。）。
【特許文献１】特開平１０−１９０５６１号公報
【発明の開示】
【発明が解決しようとする課題】
【０００３】
しかしながら、従来の装置は、事前に行った高速及び低速通信の接続回数に基づいて計算した通信状態を表示するものであり、実際にデータ通信する場所での通信状態を示していないことが多く、ユーザに通知する通信状態は必ずしも正確なものでない。
【０００４】
また、従来の装置のように、携帯電話等の携帯情報端末では、伝送エラーが起きた場合には送信データを内蔵メモリに格納しているため再送信することが可能である。その反面、例えばＴＶ放送等の映像／音声データを受信して転送するシステムでは、伝送エラーを起こしてしまうと、受信データを蓄積していないことが多く、再送信が困難な場合が多い。このため、伝送エラーが生じた部分の映像／音声データは、視聴あるいはデータ記録に残すことができず、実際にデータ通信する場所での通信状態を示すことがより必要とされている。
【０００５】
本発明は、以上の点に鑑みなされたもので、実際にデータ通信する場所における通信状態を通知することにより、伝送エラーによるデータ記録ミスの発生を抑制することが可能な受信装置、記録装置、予約方法、情報提供方法および記録方法を提供することを目的とする。
【課題を解決するための手段】
【０００６】
上記目的を達成するために、本発明の受信装置は、無線で接続された記録装置に対して外部より受信した情報を提供する受信装置において、上記記録装置における記録の予約に関する情報を受信すると、上記記録装置との無線による通信状態を観測する観測手段と、この観測手段による上記記録装置との通信状態に関する情報を通知する通知手段と、この通知手段による通知の後に予約の登録に関する指示信号を受信すると、上記予約に関する情報を登録する登録手段と、を有することを特徴とする。
【０００７】
上記目的を達成するために、本発明の受信装置は、無線で接続された記録装置に対して外部より受信した情報を提供する受信装置において、上記記録装置における記録の予約に関する情報として開始時間と記録対象情報が登録された記憶手段と、この記憶手段に登録された上記開始時間に基づいて、上記記憶手段に登録された記録対象情報を上記記録装置へ無線で送信する送信手段と、この送信手段による上記記録対象情報の送信中における上記記録装置との無線による通信状態を観測する観測手段と、この観測手段による上記記録装置との通信状態に関する情報を、上記記憶手段に記憶された予約に関する情報に対応させて上記記憶手段に記憶するよう制御する制御手段と、を有することを特徴とする。
【０００８】
上記目的を達成するために、本発明の記録装置は、無線で接続された受信装置から提供される情報を記録する記録装置において、記録の予約に関する情報を受信すると、上記受信装置との無線による通信状態を観測する観測手段と、この観測手段による上記受信装置との通信状態に関する情報を通知する通知手段と、この通知手段による通知の後に予約の登録に関する指示信号を外部より受信すると、上記予約に関する情報を登録する登録手段と、を有することを特徴とする。
【０００９】
上記目的を達成するために、本発明の記録装置は、無線で接続された受信装置から提供される情報を記録する記録装置において、記録の予約に関する情報として開始時間と記録対象情報が登録された記憶手段と、この記憶手段に登録された上記開始時間に基づいて、上記受信装置から提供される記録対象情報を内蔵する記録媒体へ書き込む書込手段と、この書込手段による上記記録対象情報の書込中における上記受信装置との無線による通信状態を観測する観測手段と、この観測手段による上記受信装置との通信状態に関する情報を、上記記憶手段に記憶された予約に関する情報に対応させて上記記憶手段に記憶するよう制御する制御手段と、を有することを特徴とする。
【００１０】
上記目的を達成するために、本発明の予約方法は、無線で接続された記録装置に対して外部より受信した情報を提供する受信装置における予約方法において、上記記録装置における記録の予約に関する情報を受信すると、上記記録装置との無線による通信状態を観測するステップと、この観測ステップによる上記記録装置との通信状態に関する情報を通知するステップと、この通知後に予約の登録に関する指示信号を受信すると上記予約に関する情報を登録するステップと、を有することを特徴とする。
【００１１】
上記目的を達成するために、本発明の予約方法は、無線で接続された受信装置から提供される情報を記録する記録装置における予約方法において、記録の予約に関する情報を受信すると、上記受信装置との無線による通信状態を観測するステップと、この観測ステップによる上記受信装置との通信状態に関する情報を通知するステップと、この通知後に予約の登録に関する指示信号を受信すると上記予約に関する情報を登録するステップと、を有することを特徴とする。
【００１２】
上記目的を達成するために、本発明の情報提供方法は、無線で接続された記録装置における記録の予約に関する情報として開始時間と記録対象情報が登録された記憶手段を有し、上記記録装置に対して外部より受信した情報を提供する受信装置における情報提供方法において、上記記憶手段に登録された上記開始時間に基づいて、上記記憶手段に登録された記録対象情報を上記記録装置へ無線で送信するステップと、この送信ステップによる上記記録対象情報の送信中における上記記録装置との無線による通信状態を観測するステップと、この観測ステップによる上記記録装置との通信状態に関する情報を、上記記憶手段に記憶された予約に関する情報に対応させて上記記憶手段に記憶するステップと、を有することを特徴とする。
【００１３】
上記目的を達成するために、本発明の記録方法は、記録の予約に関する情報として開始時間と記録対象情報が登録された記憶手段を有し、無線で接続された受信装置から提供される情報を記録する記録装置における記録方法において、上記記憶手段に登録された上記開始時間に基づいて、上記受信装置から提供される記録対象情報を内蔵する記録媒体へ書き込むステップと、この書込ステップによる上記記録対象情報の書込中における上記受信装置との無線による通信状態を観測するステップと、この観測ステップによる上記受信装置との通信状態に関する情報を、上記記憶手段に記憶された予約に関する情報に対応させて上記記憶手段に記憶するステップと、を有することを特徴とする。
【発明の効果】
【００１４】
本発明によれば、実際にデータ通信する場所における通信状態を通知することにより、伝送エラーによるデータ記録ミスの発生を抑制することができる。
【発明を実施するための最良の形態】
【００１５】
以下、本発明に係る実施の形態について図面を参照して詳細に説明する。図１及び図２は、本発明の一実施形態に係る受信装置１及び記録装置２からなるシステムの構成を示す図である。図１は、第１の実施例としての受信装置１a及び記録装置２ａからなるシステムＡを示す。図２は、第２の実施例としての受信装置１ｂ及び記憶装置２ｂからなるシステムＢを示す。尚、システムＡ、Ｂにおいて、同様の部分には同じ記号を用いて説明する。
【００１６】
図１に示すシステムＡにおいて、受信装置１は、放送業者からの放送電波をアンテナ１１により受信する。そして、ＴＶチューナ１３は、アンテナ１１により受信した放送電波からユーザにより指定された番組を選局し、この選局した番組の映像信号、音声信号、データ信号を復調し、この復調した各種信号をオーディオ／ビデオデコーダ１５へ出力する。
【００１７】
また、例えばＣＡＴＶ（ケーブルテレビ）や衛星放送等の課金放送の放送電波は、図示せぬ専用アンテナ等を介して受信ＳＴＢ（Ｓｅｔ  Ｔｏｐ  Ｂｏｘ）１４により受信する。そして受信ＳＴＢ１４は、受信した映像信号、音声信号、データ信号を復調し、更に復号してスクランブルを解除した各種信号をオーディオ／ビデオデコーダ１５へ出力する。
【００１８】
オーディオ／ビデオデコーダ１５は、ＴＶチューナ１３あるいは受信ＳＴＢ１４から入力された各種信号に応じて復号を行うもので、ＭＰＥＧ復号やインターネットで用いられる技術（例えばＨＴＭＬやＢＭＬ等の技術）を応用したものが利用される。オーディオ／ビデオデコーダ１５は、復号した映像信号をビデオ処理部１６へ出力し、復号した音声信号をオーディオ処理部１８へ出力し、復号したデータ信号をバス２５を介して主制御部２２へ出力するとともに、復号した各種信号を再暗号化部２０へ出力する。
【００１９】
ビデオ処理部１６は、表示部１７に合わせて入力された映像信号を処理し、表示部１７に出力する。オーディオ処理部１８は、スピーカ１９に合わせて入力された音声信号を処理し、スピーカ１９へ出力する。再暗号化部２０は、入力した各種信号を無線通信で用いられるパケット形式へ変換し、デジタル放送に関する信号である場合には更に暗号化を施し、無線通信部２１へ出力する。
【００２０】
無線通信部２１は、再暗号化部２０から入力されたパケット形式の信号を無線状態に変換して、外部の記録装置２ａへ送信する。また無線通信部２１は、外部から送信された無線状態の信号を受信する。この無線通信部２１は、例えばＩＥＥＥ８０２．１１ａ／ＩＥＥＥ８０２．１１ｂ規格に従って無線通信を実行するよう構成された無線通信デバイスである。
【００２１】
主制御部２２は、受信装置１ａ全体の制御を司り、適宜各ブロックの状態の監視を行っている。また、オーディオ／ビデオデコーダ１５で復号されたデータ信号、例えばＥＰＧ（Ｅｌｅｃｔｒｏｎｉｃ  Ｐｒｏｇｒａｍ  Ｇｕｉｄｅ）等の番組に関する情報の処理を実行する。
【００２２】
データ通信監視部２６は、再暗号化部２５及び無線通信部２１からの信号を処理することにより、無線通信部２１から無線で送信したデータが記録装置２ａにおいてどれ位正確に受信されているか（即ち実際にどの程度のデータが単位時間あたりに伝送できているか）を観測し、その観測結果を主制御部２２に出力する。
【００２３】
このデータ通信監視部２６は、必ずしも正確なデータレートを常時監視するもの必要は無く、
現在の受信装置１ａと記録装置２ａの設置環境（装置の位置や、アンテナの位置／角度）において記録装置２ａに対してデータを無線送信した際に発生するであろう通信障害の程度を推測できれば良い。データ通信監視部２６にて、例えばデータエラーの発生頻度を観測することにより、この通信障害の程度の推測が実現できる。
【００２４】
ここで、伝送されたデータを受信側（記録装置２ａ）で正常に受信すると、受信側（記録装置２ａ）から送信側（受信装置１ａ）に対して確認信号（ＡＣＫｎｏｗｌｅｄｇｅｍｅｎｔ信号）が送信される無線通信方式を考える。この場合、伝送に失敗すると受信側からＡＣＫ信号は送信されないので、送信側（受信装置１ａ）の無線通信部２１におけるＡＣＫ信号の受信状況をカウントすることによりデータエラーの発生頻度を観測することができる。
【００２５】
別に実現方法としては、受信装置１ａの無線通信部２１から記録装置２ａに対して、予め設定された所定パターンのデータを送信する。一方、記録装置２ａでは、受信したデータのコピーデータを受信装置１ａに対して送り返す。これにより、受信装置１ａのデータ通信監視部２６では、送信前のデータと、受信したコピーデータとを比較することにより、エラーの発生状況を観測することもできる。
【００２６】
次に、記録装置２ａは、無線通信部３１を介して外部からの電波を受信する。無線通信部３１で受信された無線信号は、再暗号化部３２へ出力される。再暗号化部３２は、入力された信号が暗号化されていれば復号化を行った後、第１の記録部３４−１の記録形式に合うようデータ変換する。また、再暗号化部３２は、コピープロテクトされているコンテンツに関しては更に暗号化を施す。
【００２７】
記録制御部３３は、記録装置２ａ全体の制御を司り、再暗号化部３２により処理された信号を第１の記録部３４−１あるいは第２の記録部３４−２に記録する。第１及び第２の記録部３４−１、２は、例えばＨＤＤやＤＶＤ等のディスク型記録媒体で構成されている。そして、第１の記録部３４−１には、映像信号、音声信号、データ信号が記録される。第２の記録部３４−２には、第１の記録部３４−１に記録される各種信号に関する管理情報が記録される。
【００２８】
また、記録制御部３３は、外部からの指示に従って、第１及び第２の記録部３４−１、２から指示された情報を読み出し、再暗号化部３２にてコピープロテクトされているコンテンツならば復号化した後、更に暗号化を行って、無線通信部３１にて外部へ無線出力する。
【００２９】
また、記録装置２ａの無線通信部３１及び／又は再暗号化部３２は、例えば、受信装置１ａをはじめとする外部装置からの指示に従って、伝送されたデータを正常に受信した場合に予め設定されている所定のタイミングで無線通信部３１から確認信号（ＡＣＫｎｏｗｌｅｄｇｅｍｅｎｔ信号）を送信したり、あるいは受信したデータのコピーデータを受信装置１ａへ送り返したりすることもできる。
【００３０】
以上のように、図１に示すシステムＡにおいては、観測手段としてのデータ通信監視部２６が受信装置１ａに設けられており、受信装置１ａにてデータ通信状態を把握する構成となっている。これに対して、図２に示すシステムＢのように、記録装置２ｂに観測手段としてのデータ通信監視部３６を設けた構成について以下説明する。尚、データ通信監視部２６、３６以外の構成については、図１に示すシステムＡ（受信装置１ａ、記録装置２ａ）と同様のため、説明を省略する。
【００３１】
図２に示すシステムＢおいては、記録装置２ｂのデータ通信監視部３６は、無線通信部３１及び再暗号化部３２からの信号を処理することにより、受信装置１ｂから無線で送信されたデータが記録装置２ｂにおいてどれ位正確に受信されているか（即ち実際にどの程度のデータが単位時間あたりに伝送できているか）を観測する。そして、データ通信感支部３６は、その観測結果をバス３５を介して記録制御部３３に出力すると共に、必要に応じて無線通信部３１を介して受信装置１ｂにも無線送信する。
【００３２】
このデータ通信監視部３６は、必ずしも正確なデータレートを常時監視するもの必要は無く、現在の受信装置１ｂと記録装置２ｂの設置環境（装置の場所、アンテナの位置／角度）において、受信装置１ｂから記録装置２ｂに対してデータが無線送信された際に発生するであろう通信障害の程度を推測できれば良い。データ通信監視部３６にて、例えばデータエラーの発生頻度を観測することにより、この通信障害の程度の推測が実現できる。
【００３３】
ここで、伝送されたデータを受信側（記録装置２ｂ）で正常に受信すると、受信側（記録装置２ｂ）から送信側（受信装置１ｂ）に対して確認信号（ＡＣＫ信号）が送信される無線通信方式を考えると、伝送に失敗した場合に受信側からＡＣＫ信号を送信しないので、このＡＣＫ信号の送信状況をカウントすることによりデータエラーの発生頻度を観測することができる。
【００３４】
別に実現方法としては、受信装置１ｂから記録装置２ｂに対して予め設定された所定パターンのデータが送信される場合、記録装置２ｂの第２の記録部３４−２にこの所定パターンのデータを予め格納しておき、記録装置２ｂでは、受信したデータと予め格納している所定パターンのデータとを比較することにより、エラーの発生状況を観測することもできる。
【００３５】
図３は、システムＢにおける記録装置２ｂのデータ通信監視部３６及びその周辺の構成の一実施例を示す図である。図３に示すように、無線通信部３１において、出力信号レベルを一定にするため、ＡＧＣ制御部３０３からＡＧＣ制御電圧に基づいて、ＲＦ  ＡＧＣ（Ｒａｄｉｏ  Ｆｒｅｑｕｅｎｃｙ  Ａｕｔｏｍａｔｉｃ  Ｇａｉｎ  Ｃｏｎｔｒｏｌ）アンプ３０２、ＲＦ等価部３０４及びＩＦ  ＡＧＣアンプ３０５によって、入力端子３０１の信号を順次増幅、平滑化し、後段の再暗号化部３２に出力する。
【００３６】
再暗号化部３２は、エラー訂正回路を含む復号部３０８とパケット処理部３０９とからなり、このエラー訂正回路でエラーが含まれているかを感知し、エラーを感知するとカウンタ部３１１へエラー発生を通知する信号を出力する。パケット処理部３０９は、復号部３０８からの信号にパケット処理を行い、その出力端子３１０から処理結果を記録制御部３３へと出力する。
【００３７】
データ通信監視部３６は、ＡＧＣ制御部３０３からの出力に基づいて通信状態を出力する第１の比較部３０６と、復号部３０８からの出力に基づいてエラー状況を出力する第２の比較部３１２とからなる。
【００３８】
第１の比較部３０６は、ＡＧＣ制御電圧の細かい変動を吸収するフィルターを有し、ＡＧＣ制御部３０３から出力され、フィルター処理により細かい変動が除去されたＡＧＣ制御電圧を予め設定された変動範囲（増幅度）と比較する。この比較の結果、ＡＧＣ制御電圧が変動範囲を超えて変動すると判断された場合に、第１の比較部３０６は、その出力端子３０７から記録制御部３３へ通信状態が安定していない（好ましくない）ことを示す信号が出力される。
【００３９】
第２の比較部３１２では、復号部３０８からのエラー信号に基づいてカウンタ部３１１でカウントされたカウント値と、予め設定された設定値とを比較する。この結果、設定値よりもカウント値が大きい場合には、出力端子３０３から通信状態の良／不良を表す信号（あるいはエラーカウント値を段階的に表す信号等でも良い）を記録制御部３３へ出力する。
【００４０】
次に、図４乃至図７を用いて、上述するシステムＡ、Ｂにおいて、ユーザによって行われる番組録画予約の一連の処理の流れを説明する。図４は、上述するシステムＡ、Ｂにおいて、ユーザによって行われる番組録画予約に関する処理の流れを示すフローチャート図である。以下、システムＡ、Ｂにて共通に説明できる内容については、受信装置１ａ、１ｂを総称して受信装置１とし、記録装置２ａ、２ｂを総称して記録装置２として説明する。
【００４１】
図４に示すように、システムＡ、Ｂにおいて、図示せぬリモコン装置を用いて、例えば図５に示すようなＥＰＧ機能や、図示せぬ記録装置２の表示部を用いて、ユーザによって録画予約したい番組に関する各種情報が入力される。これを受けてシステムＡ、Ｂでは、図６に示すように、録画予約するかを確認するウィンドウを表示する。
【００４２】
ここで、ユーザによって例えば［Ｙｅｓ］ボタンが選択され、システムＡ、Ｂにおいて、録画予約する旨の入力を受信すると（ステップＳＴ１１）、次に受信装置１と記録装置２との間で無線通信を実行し、通信状態を確認する（ステップＳＴ１２）。尚、受信装置１が複数の記録装置２と無線通信可能な環境にある場合には、ＳＴ１２において、通信可能な全ての記録装置２と無線通信を実行し、通信状態を確認する。
【００４３】
ＳＴ１２における通信状態の確認を行うと、システムＡ、Ｂにおいては、図７に示すような画面表示を用いて、ユーザに対して確認した受信装置１と記録装置２との間の通信状態を通知する（ステップＳＴ１３）。
【００４４】
図７に示す通知画面においては、受信装置がどの記録装置との通信状態を示しているのかをユーザが理解できるように、受信装置が無線通信した記録装置を示す識別情報（例えば型番）や、通信状態を示す情報（例えば通信状態が「良い」のか「悪い」のかを示す情報や、電波強度はどれ位なのかを示す情報や、通信エラーの発生頻度を示す情報等）を表示する。
【００４５】
ＳＴ１３によって通知された図７に示す通知画面において、ユーザによって［Ｙｅｓ］ボタンが選択されると、システムＡ、Ｂにおいては、「録画予約」の登録が選択されたと判断し（ステップＳＴ１４のＹ／Ｎキー、ＳＴ１５のＹｅｓ）、予約情報（録画開始時間／終了時間、チャンネル、記録する記録装置の型番等の情報）を受信装置１と記録装置２のいずれか、または両方に格納し、待機状態へと移行する(ステップＳＴ１６)。
【００４６】
また、ＳＴ１３によって通知された図７に示す通知画面において、ユーザによって［Ｎｏ］ボタンが選択されると、録画予約のキャンセル（未登録）が選択されたと判断し（ステップＳＴ１４のＹ／Ｎキー、ＳＴ１５のＮｏ）、一連の録画予約処理を終了する。
【００４７】
また、ＳＴ１３によって通知された図７に示す通知画面において、ユーザによって［Ａｇａｉｎ］ボタンが選択されると、通信状態の再確認が指示されたと判断し（ステップＳＴ１４のＡｇａｉｎキー）、ＳＴ１２の処理へと進み、受信装置１と記録装置２との間で再度、無線通信を実行し、通信状態を確認し、図７に示す通知画面を表示する（ＳＴ１２、１３）。
【００４８】
また、ＳＴ１３によって通知された図７に示す通知画面において、ユーザによって［Ｎｅｘｔ］ボタンが選択されると、他の記録装置の通知画面の表示が指示されたと判断し（ステップＳＴ１４のＮｅｘｔキー）、受信装置１が無線通信可能な他の記録装置との間の通信状態を示す画面へと切り替えて、ＳＴ１３の処理へと進む（ステップＳＴ１７）。
【００４９】
このように、本実施例では、システムＡ、Ｂにおいて、ユーザによって録画予約に関する情報が入力されると、その予約登録前に、受信装置１と記録装置２との間の無線通信状態を確認し、通知している。従って、録画予約処理時の受信装置１と記録装置２の設置環境において、無線通信状態が良好であるかどうかを確認し、通知することにより、録画予約した番組が記録装置に伝送エラー無く録画できるか否かを、録画予約処理中にユーザが把握することができる。
【００５０】
次に、図８及び図９を用いて、上述する図４に示す処理の流れに沿って、受信装置１と記録装置２における番組録画予約の処理の流れについて説明する。図８はＥＰＧ機能を用いて録画予約する場合の処理を示すフローチャート図である。尚、一点鎖線は、図４に示す処理のステップ番号との対応関係を示す。
【００５１】
図８に示すように、受信装置１の主制御部２２は、無線通信部２１（または図示せぬ他の受信部）を介して受信したユーザによる指示に基づき、アンテナ１１や受信ＳＴＢ１４から受信したＥＰＧ画面情報を、図５に示すように表示部１７へ表示するよう制御する(ステップＳＴ２１)。
【００５２】
このＥＰＧ画面を用いて、ユーザによって図示せぬリモコン装置から録画予約したい番組に関する各種情報が無線通信部２１を介して入力されると、主制御部２２は、これを受けて図６に示す録画予約するかを確認するウィンドウを表示し、ユーザからの指示待機状態とする（ステップＳＴ２２）。ここで、ユーザによって例えば［Ｙｅｓ］ボタンが選択され、録画予約を登録する旨の入力を受信すると、次に主制御部２２は、データ通信監視部２６に対して、記録装置２との通信状態の確認を実行するよう指示する。
【００５３】
即ち、図１に示すシステムＡにおいては、主制御部２２は再暗号化部２０や無線通信部２１を介して、記録装置２ａとの通信状態を確認するための確認データを送信すると共に（ステップＳＴ２３）、データ通信監視部２６にて記録装置２ａからのレスポンス状況を観測する（ステップＳＴ２４）。
【００５４】
記録装置２ａでは、ＳＴ２４で無線通信部３１にてこの確認データを受信すると（ステップＳＴ４１）、記録制御部３３は、この確認データの受信状況に関する情報（例えばＡＣＫ信号等の確認信号や、受信したデータのコピーデータ等）を含むレスポンスデータを無線通信部３１を介して受信装置１ａに対して送信する（ステップＳＴ４２）。
【００５５】
受信装置１ａにおいて、無線通信部２１を介して記録装置２ａからのレスポンスデータを受信すると（ステップＳＴ２４）、データ通信監視部２６にて、このレスポンスデータに基づいて記録装置２ａとの間のデータエラー頻度を判断し、この観測結果を主制御部２２に出力する。主制御部２２は、データ通信監視部２６の観測結果を通信状態として、表示部１７に図７に示す通知画面を用いて表示する（ステップＳＴ２５）。
【００５６】
また、図２に示すシステムＢにおいては、受信装置１ｂの主制御部２２は、再暗号化部２０や無線通信部２１を介して、記録装置２ａとの通信状態を確認するための確認データを送信する（ステップＳＴ２３）。
【００５７】
記録装置２ｂでは、無線通信部３１にてこの確認データを受信すると（ステップＳＴ４１）、データ通信監視部３６により受信装置１ｂとの間の例えばデータエラー頻度を判断し、主制御部３３に出力する。主制御部３３は、データ通信監視部３６から入力された受信（通信）状態に関する情報(例えばデータエラー頻度など)を含むレスポンスデータを無線通信部３１を介して送信する（ステップＳＴ４２）。
【００５８】
受信装置１ｂにおいては、無線通信部２１を介して記録装置２ｂからのレスポンスデータを受信すると（ステップＳＴ２４）、主制御部２２は、表示部１７に図７に示す通知画面を用いて、受信したデータエラー頻度等の通信状態に関する情報を表示する（ステップＳＴ２５）。尚、このＳＴ５６で受信装置１ｂの表示部１７に通信状態を表示しているが、これに限らず、システムＢにおいてはデータ通信監視部３６が記録装置２ｂに搭載されているので、記録装置２ｂの図示せぬ表示部で通信状態を表示するようにしても良い。
【００５９】
ここで、受信装置１（１ａ、１ｂ）の主制御部２２は、データエラー頻度が予め設定された設定値よりも高く、通信状態が「良」と判断されると（ステップＳＴ２６のＮｏ）、ＳＴ２８の処理へと進む。また、設定値よりも低く、通信状態が「悪い」と判断すると（ステップＳＴ２６のＹｅｓ）、受信状態を改善するよう通知する（ステップＳＴ２７）。
【００６０】
このＳＴ２７における具体的な通知方法として、例えば受信装置１あるいは記録装置２の設置方法やアンテナの角度等の変更を促すアナウンスを通知する。更に、この際、表示部１７に図示せぬエラーレートメータを表示して、ユーザによる設置環境の調整に応じて変化するエラーレートの様子をメータ表示でユーザに対して通知するようにしても良い。
【００６１】
この通知画面を表示した状態において、ユーザによって選択されたキー情報を受信すると（ステップＳＴ２８）、受信装置１の主制御部２２は、受信したキー情報が示す指示を実行するよう制御する。
【００６２】
即ち、通知画面を表示した状態において、ユーザによって［Ｙｅｓ］ボタンが選択されると、受信装置１の主制御部２２は、「録画予約」の登録が選択されたと判断し（ステップＳＴ２９のＮｏ、ＳＴ３０のＮｏ、ＳＴ３２のＹｅｓ）、予約情報（録画開始時間／終了時間、チャンネル、記録する記録装置の型番等の情報）を受信装置１のメモリ２３に記憶するとともに、図示せぬタイマをセットし、待機状態へと移行する（ステップＳＴ３３）。尚、予約情報は、更に記録装置２の第２の記録部３４−２に記憶させても良い。
【００６３】
また、通知画面を表示した状態において、ユーザによって［Ｎｏ］ボタンが選択されると、主制御部２２は、録画予約のキャンセルが選択されたと判断し（ステップＳ２９のＮｏ、ＳＴ３０のＮｏ、Ｔ３２のＮｏ）、一連の録画予約処理を終了する。
【００６４】
また、通知画面を表示した状態において、ユーザによって［Ａｇａｉｎ］ボタンが選択されると、主制御部２２は、通信状態の再確認が指示されたと判断し（ステップＳＴ２９のＮｏ、ＳＴ３０のＹｅｓ）、ＳＴ２３の処理に進み、受信装置１と記録装置２との間の無線通信の状態の確認処理を実行する。
【００６５】
また、通知画面を表示した状態において、ユーザによって［Ｎｅｘｔ］ボタンが選択されると、主制御部２２は、他の記録装置の通知画面の表示が指示されたと判断し（ステップＳＴ２９のＹｅｓ）、受信装置１が無線通信可能な他の記録装置との間の通信状態を示す画面へと切り替え制御し（ステップＳＴ３１）、ＳＴ２５の処理へと進む。
【００６６】
次に、図９は記録装置２の図示せぬ表示装置を利用した録画予約機能を用いて録画予約する場合の処理を示すフローチャート図である。尚、一点鎖線は、図４に示す処理のステップ番号との対応関係を示す。
【００６７】
図９に示すように、記録装置２の記録制御部３３は、無線通信部２１（または図示せぬ他の受信部）を介して受信したユーザによる指示に基づき、予め設定された録画予約画面に関する情報を無線通信部２１を介して受信装置１に送信する(ステップＳＴ５１)。
【００６８】
また、ユーザによって図示せぬリモコン装置から録画予約したい番組に関する各種情報が無線通信部２１（または図示せぬ他の受信部）を介して入力されると、記録制御部３３は、入力された情報を反映させた録画予約画面を作成し、繰り返し無線通信部２１を介して受信装置１に送信する(ステップＳＴ５１)。
【００６９】
受信装置１の主制御部２２は、無線通信部２１を介して受信した録画予約画面に関する情報に基づいて、表示部１７へ表示するよう制御する(ステップＳＴ５２)。ここで、ユーザによって録画予約する旨の入力がなされると、記録装置２の記録制御部３３は、データ通信監視部３６に対して、受信装置１との通信状態の確認を実行するよう指示する。
【００７０】
即ち、図１に示すシステムＡにおいては、記録装置２ａの記録制御部３３は、無線通信部２１を介して、受信装置１ａに対して、通信状態を確認するための確認データの送信を要求する（ステップＳＴ５３）。
【００７１】
受信装置１ａの主制御部２２は、無線通信部２１を介して記録装置２ａより確認データの送信要求を受信すると、無線通信部２１を介して記録装置２ａとの通信状態を確認するための確認データを送信すると共に（ステップＳＴ７２）、データ通信監視部２６にて記録装置２ａからのレスポンス状況を観測する（ステップＳＴ７３）。
【００７２】
記録装置２ａの記録制御部３３は、無線通信部３１にてこの確認データを受信すると（ステップＳＴ５４）、この確認データの受信状況に関する情報（例えばＡＣＫ信号等の確認信号や、受信したデータのコピーデータ等）を含むレスポンスデータを無線通信部３１を介して送信する（ステップＳＴ５５）。
【００７３】
受信装置１ａにおいては、無線通信部２１を介して記録装置２ａからのレスポンスデータを受信すると、データ通信監視部２６は、このレスポンスデータに基づいて記録装置２ａとの間のデータエラー頻度を判断し、無線通信部２１を介して記録装置２ａへデータエラー頻度を送信する（ステップＳＴ７３）。記録装置２ａの記録制御部３３は、無線通信部３１を介して受信したデータエラー頻度を通信状態として、図示せぬ表示部を用いて通知する（ステップＳＴ５６）。
【００７４】
尚、図９においては、ＳＴ５６にて記録装置２ａの図示せぬ表示部に通信状態を表示しているが、これに限らず、システムＡにおいてはデータ通信監視部２６が受信装置１ａに搭載されているので、受信装置１の表示部１７で通信状態を表示するようにしても良い。
【００７５】
また、図２に示すシステムＢにおいては、記録装置２ｂの記録制御部３３は、無線通信部２１を介して、受信装置１ｂに対して、通信状態を確認するための確認データの送信を要求する（ステップＳＴ５３）。
【００７６】
受信装置１ｂの主制御部２２は、無線通信部２１を介して記録装置２ｂより確認データの送信要求を受信すると、無線通信部２１を介して記録装置２ｂとの通信状態を確認するための確認データを送信する（ステップＳＴ７２）。
【００７７】
記録装置２ｂの記録制御部３３は、無線通信部３１にてこの確認データを受信すると（ステップＳＴ５４）、この確認データの受信状況に関する情報を含むレスポンスデータを無線通信部３１を介して送信すると共に（ステップＳＴ５５）、データ通信監視部３６により確認データに基づいて受信装置１ｂとの間の例えばデータエラー頻度を判断し、この判断したデータエラー頻度等の通信状態に関する情報を図示せぬ表示部を用いて通知する（ステップＳＴ５６）。
【００７８】
ここで、記録装置２（２ａ、２ｂ）の記録制御部３３は、ここでデータエラー頻度が予め設定された設定値よりも高く、通信状態が「良」と判断されると（ステップＳＴ５８のＮｏ）、ＳＴ５９の処理へと進む。また、設定値よりも低く、通信状態が「悪い」と判断すると（ステップＳＴ５７のＹｅｓ）、受信状態を改善するよう通知する（ステップＳＴ５８）。
【００７９】
このＳＴ５８における具体的な通知方法として、記録装置２（２ａ、２ｂ）の表示部を用いて、例えば受信装置１あるいは記録装置２の設置方法やアンテナの角度等の変更を促すアナウンスを通知する。この際、更にエラーレートメータを表示して、ユーザによる設置環境の調整に応じて変化するエラーレートの様子をメータ表示でユーザに対して通知するようにしても良い。
【００８０】
この通知を表示した状態において、ユーザによって選択された指示情報を受信すると（ステップＳＴ５９）、記録装置２の記録制御部３３は、受信した指示を実行するよう制御する。
【００８１】
即ち、通知状態において、ユーザによって「録画予約」の登録が選択されると（ステップＳＴ６０のＮｏ、ＳＴ６１のＮｏ、ＳＴ６３のＹｅｓ）、記録装置２の記録制御部３３は、予約情報（録画開始時間／終了時間、チャンネル、記録する記録装置の型番等の情報）を記録装置２の第２の記録部３４−２に記憶し、図示せぬタイマをセットすると共に、予約画面の表示を終了する指示を受信装置１に送信して待機状態へと移行する（ステップＳＴ６４）。
【００８２】
受信装置１の主制御部２２は、無線通信部２１を介して、この表示終了指示を受信すると、表示部１７における予約画面の表示を停止して一連の動作を終了する(ステップＳＴ７４)。尚、予約情報は、更に受信装置１のメモリ２３に記憶させても良い。
【００８３】
また、通知状態において、ユーザによって録画予約のキャンセルが選択されると（ステップＳ６０のＮｏ、ＳＴ６１のＮｏ、Ｔ６３のＮｏ）、記録制御部３３は、一連の録画予約処理を終了する。また、通知状態において、ユーザによって通信状態の再確認が指示されると（ステップＳＴ６０のＮｏ、ＳＴ６１のＹｅｓ）、記録制御部３３は、ＳＴ５３の処理に進み、受信装置１と記録装置２との間の無線通信の状況の確認処理を実行する。
【００８４】
また、通知状態において、ユーザによって他の記録装置の通知画面の表示が指示されると（ステップＳＴ６０のＹｅｓ）、記録制御部３３は、記録装置２が無線通信可能な他の受信装置との間の通信状態を示す画面へと切り替え制御し（ステップＳＴ６２）、ＳＴ５６の処理へと進む。
【００８５】
以上説明したように、システムＡ、Ｂにおいて、ユーザによって録画予約に関する情報が入力されると、その予約登録前に、受信装置１と記録装置２との間の無線通信状態を確認し、ユーザに通知している。従って、録画予約処理時の受信装置１と記録装置２の設置環境において、無線通信状態が良好であるかどうかを確認し、通知することにより、録画予約した番組が記録装置に伝送エラー無く録画できるか否かを、録画予約処理中にユーザが把握することができる。また、無線通信状態が悪い時にはその旨を通知することにより、ユーザに受信装置あるいは記録装置の設置場所やアンテナの角度、あるいは周囲の環境の変更を促すことができ、伝送エラーによる録画予約の失敗を未然に防ぐことが可能となる。
【００８６】
次に、図１０乃至図１２を用いて、システムＡにおける番組録画の処理の流れについて説明する。図１０は、受信装置１ａと記録装置２ａにおいて予約された番組を録画する処理を示すフローチャート図である。尚、以下に録画予約情報を受信装置１ａで保持している場合で説明するが、これに限らず、録画予約情報を記録装置２ａで保持している場合であっても、受信装置１ａのＳＴ１０２以降及び記録装置２ａのＳＴ２０２以降は同様である。
【００８７】
図１０に示すように、メモリ２３に記憶されている予約情報に基づいて、図示せぬタイマにより予約時間になったと判断されると、受信装置１ａの主制御部２２は、無線通信部２１を介して記録装置２ａへ録画を指示する命令を送信する（ステップＳＴ１０１）。記録装置２ａの記録制御部３３は、無線通信部３１を介して録画の指示を受信すると、記録待機の状態となる（ＳＴ２０１）。
【００８８】
受信装置１ａにおいては、メモリ２３に記憶された予約情報に基づき、アンテナ１１及びＴＶチューナ１３によって、あるいは受信ＳＴＢ１４によって、予約された番組のチャンネルを選局し、オーディオ／ビデオデコーダ１５にて各種信号を復号処理し、再暗号化部２０にてパケット形式に変換し、必要ならば暗号化を施し、無線通信部２１を介して、少なくとも予約された番組に関する情報（録画対象データ）を、記録装置２ａへ送信する（ステップＳＴ１０２）。
【００８９】
記録装置２ａにおいては、記録制御部３３は、無線通信部３１を介して受信した番組に関する情報を、再暗号化部３２にて必要に応じて復号化した後にデータ変換を行い、コピープロテクトされているコンテンツに関しては更に暗号化を施し、第１の記録部３４−１に記録していく。また、この管理情報については第２の記録部３４−２に記録する（ステップＳＴ２０２）。
【００９０】
受信装置１ａにおいて、ＳＴ１０２によるデータ送信の所定時間毎に、主制御部２２はデータ通信監視部２６によって記録装置２ａとの通信状態を観測する（ステップＳＴ１０３）。主制御部２２は、この観測結果が予め設定された設定値よりも高い場合には、通信状態が「良」と判断し（ステップＳＴ１０４のＮｏ）、ＳＴ１０６の処理へと進み、録画終了と判断されるまでＳＴ１０２から
１０６までの処理を繰り返し実行する（ステップＳＴ１０６のＮｏ）。
【００９１】
また、主制御部２２は、ＳＴ１０３の観測結果が設定値よりも低い場合には通信状態が「悪い」と判断し（ステップＳＴ１０４のＹｅｓ）、無線通信部２１から送信されるデータのデータレート（転送量）を下げて（ステップＳＴ１０５）、このデータレートに従って無線通信部２１から録画対象データを送信していく（ステップＳＴ１０６のＮｏ）。ＳＴ１０５におけるデータレートを下げる具体的手法としては、例えば、高解像度成分を落としたり、フレームレートを落としたりすることが挙げられる。
【００９２】
記録装置２ａにおいては、記録制御部３３は、無線通信部３１を介して受信した番組に関する情報を、再暗号化部３２にて必要に応じて復号化した後にデータ変換を行い、コピープロテクトされているコンテンツに関しては更に暗号化を施し、第１の記録部３４−１に記録していく。この際、受信するデータはデータレート（転送量）が低くなっているので、第１の記録部３４−１への受信データの記録も、記録方式を変更して記録しても良い（ステップＳＴ２０２）。
【００９３】
記録装置２ａにおいては、記録制御部３３は、無線通信部３１を介して受信した番組に関する情報を、再暗号化部３２にて必要に応じて復号化した後にデータ変換を行い、コピープロテクトされているコンテンツに関しては更に暗号化を施し、第１の記録部３４−１に記録していく。また、この管理情報については第２の記録部３４−２に記録する（ステップＳＴ２０２）。
【００９４】
メモリ２３に記憶されている予約情報の予約終了時間となると、主制御部２２は録画終了と判断し（ステップＳＴ１０６のＹｅｓ）、ＴＶチューナ１３または受信ＳＴＢ１４、オーディオ／ビデオデコーダ１５、再暗号化部２０及び無線通信部２１による録画対象データの送信を停止し、ＳＴ１０３にて定期的に観測していた通信状態に関する情報をメモリ１０７に記憶する（ステップＳＴ１０７）。
【００９５】
記録装置２ａの記録制御部３３においても、録画終了と判断されると（ステップＳＴ２０３）、第１の記録部３４−１への記録動作を停止するとともに、第２の記録部３４−２に録画した情報に関する管理情報を、第１の記録部３４−１に記録された録画情報に対応付けて記録する（ステップＳＴ２０４）。
【００９６】
尚、ＳＴ１０７にて受信装置１ａのメモリ２３に通信状態に関する情報を記憶させたが、これに限らず、ＳＴ１０３の定期的な観測結果を受信装置１ａのみならず記録装置２ａに対して送信し、第２の記録部３４−２の管理情報に対応させて記録することもできる。
【００９７】
更には、受信装置１ａのメモリ２３や、記録装置２ａにて第２の記録部３４−２に記録する通信状態は、例えば図１１に示すように、録画された番組の通信状態の総括に関する情報であっても良い。この場合、この総括に関する情報は、録画中に発生した通信不良の回数や、通信不良だった時間によって「良好」「Ｅｒｒｏｒ有」「失敗」のいずれかに分類すると良い。また、図１２に示すように、データエラーの発生率や記録形式（ＨＤ／ＳＤ）を経時変化で記録しても良い。
【００９８】
次に、図１３を用いて、システムＡにおける録画番組の再生に関する処理の流れについて説明する。図１３は、受信装置１ａと記録装置２ａにおいて録画された番組を再生する処理を示すフローチャート図である。
【００９９】
図１３に示すように、記録装置２ａの記録制御部３３は、無線通信部３１を介して外部から受信したユーザの再生指示に基づき（ステップＳＴ２１１）、第１及び第２の記録部３４−１、２から再生指示された記録データを読み出し、再暗号化部３２及び無線通信部３１を介して受信装置１ａに対して読み出した記録データを送信する。この際、更に第２の記録部３４−２から管理情報とともに通信状態に関する情報も読み出し、記録データとともに受信装置１ａに対して送信しても良い（ステップＳＴ２１２）。
【０１００】
受信装置１ａの主制御部２２は、無線通信部２１を介して受信したデータを再暗号化部２０及びオーディオ／ビデオデコーダ１５を介して表示部１７に表示すると共に、メモリ２３から受信・表示したデータに対応する通信状態を読み出して、あるいはデータと共に受信した通信状態に関する情報を表示部１７に表示する（ステップＳＴ１１１）。
【０１０１】
次に、図１４に示すフローチャート図を用いて、システムＢにおける受信装置１ｂと記録装置２ｂの予約された番組の録画に関する処理の流れについて説明する。尚、以下に録画予約情報を受信装置１ｂで保持している場合で説明するが、これに限らず、録画予約情報を記録装置２ｂで保持している場合であっても、受信装置１ｂのＳＴ３０２以降及び記録装置２ｂのＳＴ４０２以降は同様である。
【０１０２】
図１４に示すように、メモリ２３に記憶されている予約情報に基づいて、図示せぬタイマにより予約時間になったと判断されると、受信装置１ｂの主制御部２２は、無線通信部２１を介して記録装置２ｂへ録画を指示する命令を送信する（ステップＳＴ３０１）。記録装置２ｂの記録制御部３３は、無線通信部３１を介して録画の指示を受信すると、記録待機の状態となる（ＳＴ４０１）。
【０１０３】
受信装置１ｂにおいては、メモリ２３に記憶された予約情報に基づき、アンテナ１１及びＴＶチューナ１３によって、あるいは受信ＳＴＢ１４によって、予約された番組のチャンネルを選局し、オーディオ／ビデオデコーダ１５にて各種信号を復号処理し、再暗号化部２０にてパケット形式に変換し、必要ならば暗号化を施し、無線通信部２１を介して、少なくとも予約された番組に関する情報（録画対象データ）を、記録装置２ｂへ送信する（ステップＳＴ３０２）。
【０１０４】
記録装置２ｂにおいては、記録制御部３３は、無線通信部３１を介して受信した番組に関する情報を、再暗号化部３２にて必要に応じて復号化した後にデータ変換を行い、コピープロテクトされているコンテンツに関しては更に暗号化を施し、第１の記録部３４−１に記録していく。また、この管理情報については第２の記録部３４−２に記録する（ステップＳＴ４０２）。
【０１０５】
記録装置２ｂの記録制御部３３は、ＳＴ３０２における受信装置１ｂからのデータ送信の所定時間毎に、データ通信監視部３６によって受信装置１ｂとの通信状態を観測し、記録制御部３３へ観測結果を出力する（ステップＳＴ４０３）。記録制御部３３は、この観測結果が予め設定された設定値よりも高い場合には、通信状態が「良」と判断し（ステップＳＴ４０４のＮｏ）、ＳＴ４０６の処理へと進み、録画終了と判断されるまでＳＴ４０２からＳＴ４０７までの処理を繰り返し実行する（ステップＳＴ４０６のＮｏ、ＳＴ４０７のＹｅｓ）。
【０１０６】
また、記録制御部３３は、ＳＴ４０３の観測結果が設定値よりも低い場合には通信状態が「悪い」と判断し（ステップＳＴ４０４のＹｅｓ）、無線通信部３１を介して、通信状態が不良であることを受信装置１ｂに対して送信する(ステップＳＴ４０５)。
【０１０７】
受信装置１ｂの主制御部２２は、無線通信部２１を介して通信状態が不良である旨を示す情報を受信すると（ＳＴ３０３のＹｅｓ）、無線通信部２１から送信されるデータのデータレート（転送量）を下げて（ステップＳＴ３０４）、ＳＴ３０２への進み、このデータレートに従って無線通信部２１から録画対象データを送信していく。ＳＴ３０４におけるデータレートを下げる具体的手法としては、例えば、高解像度成分を落としたり、フレームレートを落としたりすることが挙げられる。
【０１０８】
記録装置２ｂにおいては、記録制御部３３は、無線通信部３１を介して受信した番組に関する情報を、再暗号化部３２にて必要に応じて復号化した後にデータ変換を行い、コピープロテクトされているコンテンツに関しては更に暗号化を施し、第１の記録部３４−１に記録していく。この際、受信するデータはデータレート（転送量）が低くなっているので、第１の記録部３４−１への受信データの記録も、記録方式を変更して記録しても良い（ステップＳＴ４０２）。
【０１０９】
そして、予約終了時間となると、受信装置１ｂの主制御部２２は録画終了と判断し（ステップＳＴ３０５のＹｅｓ）、ＴＶチューナ１３または受信ＳＴＢ１４、オーディオ／ビデオデコーダ１５、再暗号化部２０及び無線通信部２１による録画対象データの送信を停止する（ＳＴ３０６）。
【０１１０】
また、予約終了時間となると、記録装置２ｂの記録制御部３３は録画終了と判断し（ステップＳＴ４０６のＹｅｓ）、第１の記録部３４−１への記録動作を停止するとともに、第２の記録部３４−２に録画した情報に関する管理情報を、第１の記録部３４−１に記録された録画情報に対応付けて記録する。また、ＳＴ４０３にて定期的に観測していた通信状態に関する情報を第２の記録部３４−２に管理情報に対応させて記録する（ステップＳＴ４０８）。
【０１１１】
尚、ＳＴ４０８にて記録装置２ｂの第２の記録部３４−２に通信状態に関する情報を記憶させたが、これに限らず、ＳＴ４０８の定期的な観測結果を記録装置２ｂのみならず受信装置１ｂに対して送信し、メモリ２３に記録することもできる。
【０１１２】
更には、受信装置１ｂのメモリ２３や、記録装置２ｂにて第２の記録部３４−２に記録する通信状態は、例えば図１１に示すように、録画された番組の通信状態の総括に関する情報であっても良い。この場合、この総括に関する情報は、録画中に発生した通信不良の回数や、通信不良だった時間によって「良好」「Ｅｒｒｏｒ有」「失敗」のいずれかに分類すると良い。また、図１２に示すように、データエラーの発生率や記録形式を経時変化で記録しても良い。
【０１１３】
次に、図１５に示すフローチャート図を用いて、システムＢにおける受信装置１ｂと記録装置２ｂの録画番組の再生に関する処理の流れについて説明する。
【０１１４】
図１５に示すように、記録装置２ｂの記録制御部３３は、無線通信部３１を介して外部から受信したユーザの再生指示に基づき（ステップＳＴ４１１）、第１及び第２の記録部３４−１、２から再生指示された記録データと通信状態を読み出し、再暗号化部３２及び無線通信部３１を介して受信装置１ａに対して読み出した記録データを送信する（ステップＳＴ４１２）。
【０１１５】
受信装置１ｂの主制御部２２は、無線通信部２１を介して受信したデータを再暗号化部２０及びオーディオ／ビデオデコーダ１５を介して表示部１７に表示すると共に、データと共に受信した通信状態に関する情報を表示部１７に表示する（ステップＳＴ３１１）。
【０１１６】
以上説明したように、本実施例では、予め登録された録画予約情報に基づいて番組等の情報を記録する際にも、定期的に受信装置１と記録装置２間の通信状態を観測し、その通信状態を、記録した情報の管理情報と共に保持し、再生時にユーザに対して通信状態を表示することができる。また、記録最中に通信状態が悪くなったことが判断されると、受信装置からデータ転送量を下げるようになっている。従って、再生時にユーザが、どのような要因によって録画予約した内容に記録障害が生じたのかを知ることができる。即ち、自己の記録予約時のミスであるのか、伝送エラーによる録画ミスなのかを少なくとも判別することができる。
【図面の簡単な説明】
【０１１７】
【図１】本発明の実施形態における受信装置１ａ及び記録装置２ａからなるシステムＡの構成を示すブロック図。
【図２】本発明の実施形態における受信装置１ｂ及び記録装置２ｂからなるシステムＢの構成を示すブロック図。
【図３】データ通信監視部３６の構成を示す図。
【図４】システムＡ、Ｂにおいて、ユーザによって行われる番組録画予約に関する処理の流れを示すフローチャート図。
【図５】表示部１７に表示されたＥＰＧ画面を示す図。
【図６】録画予約するかを確認するためのウィンドウを示す図。
【図７】通信状態の通知画面を示す図。
【図８】ＥＰＧ機能を用いて録画予約する場合の処理を示すフローチャート図。
【図９】記録装置２の図示せぬ表示装置を利用した録画予約機能を用いて録画予約する場合の処理を示すフローチャート図。
【図１０】システムＡの受信装置１ａと記録装置２ａにおいて予約された番組を録画する処理を示すフローチャート図。
【図１１】通信状態について説明する図。
【図１２】通信状態について説明する図。
【図１３】システムＡの受信装置１ａと記録装置２ａにおいて録画された番組を再生する処理を示すフローチャート図。
【図１４】システムＢの受信装置１ｂと記録装置２ｂにおいて予約された番組を録画する処理を示すフローチャート図。
【図１５】システムＢの受信装置１ｂと記録装置２ｂ受信装置１ａと記録装置２ａにおいて録画された番組を再生する処理を示すフローチャート図。
【符号の説明】
【０１１８】
Ａ、Ｂ    システム
１、１ａ、１ｂ    受信装置
２、２ａ、２ｂ    記録装置
２１、３１    無線通信部
２２    主制御部
２３    メモリ
３３    記録制御部
３４−１    第１の記録部
３４−２    第２の記録部
【図１】
2005109563.tif 000003
【図２】
2005109563.tif 000004
【図３】
2005109563.tif 000005
【図４】
2005109563.tif 000006
【図５】
2005109563.tif 000007
【図６】
2005109563.tif 000008
【図７】
2005109563.tif 000009
【図８】
2005109563.tif 000010
【図９】
2005109563.tif 000011
【図１０】
2005109563.tif 000012
【図１１】
2005109563.tif 000013
【図１２】
2005109563.tif 000014
【図１３】
2005109563.tif 000015
【図１４】
2005109563.tif 000016
【図１５】
2005109563.tif 000017